(57)【特許請求の範囲】
【請求項１】
支持ブラケット間に回転可能に支持される巻取軸を操作装置で回転駆動して、巻取軸にスクリーンを巻取りあるいは巻戻すことによりスクリーンを昇降可能とし、前記スクリーンでウェイトバーを支持したロールブラインドにおいて、
前記スクリーンは、第一及び第二の生地を接続して、第一の生地に続いて第二の生地を巻戻し可能とするとともに、前記第一の生地でウェイトバーを支持し、
前記巻取軸に対し前記第二の生地を巻取り、あるいは巻戻すとき、前記ウェイトバーが所定の高さまで下降した後は、該巻取軸の回転に連動して前記第一の生地の下端縁に支持される前記ウェイトバーの高さを一定に維持しながら、第二の生地を巻戻し、あるいは巻取り可能とするスクリーン高さ維持装置を備え、
同スクリーン高さ維持装置は、前記第一の生地の端部にボトムレールを取着し、前記ボトムレールを昇降装置で昇降可能に吊下支持し、前記第一の生地の無端状の下端縁に前記ウェイトバーを支持し、前記昇降装置は、前記第二の生地の巻戻し量、あるいは巻取り量を相殺するように前記ボトムレールを昇降して、前記ウェイトバーの高さを一定に維持するように構成したことを特徴とするロールブラインド。
【請求項２】
前記第一の生地は、遮光性を備えた生地で構成し、第二の生地は採光可能な生地で構成したことを特徴とする請求項１記載のロールブラインド。
【請求項３】
前記昇降装置は、前記ボトムレールを吊下支持する昇降コードと、前記巻取軸の回転に連動して昇降コードを巻取りあるいは巻戻す巻取りドラムとで構成し、前記昇降コードは、前記第一の生地の巻戻しが終了したとき巻取りドラムからすべて巻戻される状態として、前記第二の生地の巻戻し時には該第二の生地の巻戻し量に対応してボトムレールを引き上げるとともに、第二の生地の巻取り時には該第二の生地の巻取り量に対応してボトムレールを下降可能とし、前記第一の生地の巻取り時には、該第一の生地の巻取り量に対応してボトムレールを引き上げ可能とするとともに、第一の生地の巻戻し時には、該第一の生地の巻戻し量に応じてボトムレールを下降可能としたことを特徴とする請求項１又は２に記載のロールブラインド。
【請求項４】
前記支持ブラケットに前記巻取りドラムを回転可能に支持し、前記巻取軸の回転をギヤ機構を介して前記巻取りドラムに伝達したことを特徴とする請求項３記載のロールブラインド。
【請求項５】
前記ウェイトバーは、ケース内にインナーパイプを設け、該ケースの上部に前記インナーパイプの径より幅の狭い開口部を形成し、前記インナーパイプに掛装した第一の生地を前記開口部からケース外に案内したことを特徴とする請求項１乃至４のいずれかに記載のロールブラインド。
【発明の詳細な説明】
【０００１】
【発明の属する技術分野】
この発明は、外光を遮光可能とした生地と、外光を採光可能とした生地とを共通の巻取軸から引き出して、採光状態及び遮光状態を選択可能としたロールブラインドに関するものである。
【０００２】
【従来の技術】
従来、ロールブラインドは巻取軸からスクリーンを引き出して窓面を覆うことにより外光を遮光可能とし、スクリーンを所望高さまで引き上げることによりスクリーンの下方から採光可能となる。
【０００３】
このようなロールブラインドでは、窓の下部を遮光して目隠し状態としながら、窓の上部から採光することはできない。
そこで、外光を遮光可能とした第一の生地と、外光を採光可能とした第二の生地とでスクリーンを構成し、第一の生地に続いて第二の生地を巻取軸からを引き出し可能としたロールブラインドが提案されている。
【０００４】
このようなロールブラインドでは、第二の生地を所望高さまで引き出せば、窓の下部を第一の生地で遮光しながら、窓の上部から第二の生地を介して採光可能である。
【０００５】
【発明が解決しようとする課題】
上記のようなロールブラインドでは、ウェイトバーを窓の下縁まで下降させたとき、第一の生地で窓の全面を遮光できるように第一の生地の高さが設定される。
【０００６】
従って、第二の生地を引き出したとき、ウェイトバーは窓の下縁よりさらに下降するため、窓の下縁より下降したウェイトバー及び第一の生地を窓の下縁部で巻き取る等の手段が必要となる。
【０００７】
そして、例えば第二の生地を所望高さまで引き出した後、窓の下縁より下方まで下降した第一の生地及びウェイトバーを手動で巻き取る等の操作が必要となるため、その操作が煩雑となるという問題点がある。
【０００８】
この発明の目的は、巻取軸の回転操作に基づいて、ウェイトバーを窓の下縁部に保持しながら、巻取軸から第一の生地に続いて第二の生地を引き出し得るロールブラインドを提供することにある。
【０００９】
【課題を解決するための手段】
請求項１では、支持ブラケット間に回転可能に支持される巻取軸を操作装置で回転駆動して、巻取軸にスクリーンを巻取りあるいは巻戻すことによりスクリーンを昇降可能とし、前記スクリーンでウェイトバーを支持したロールブラインドにおいて、前記スクリーンは、第一及び第二の生地を接続して、第一の生地に続いて第二の生地を巻戻し可能とするとともに、前記第一の生地でウェイトバーを支持し、前記巻取軸に対し前記第二の生地を巻取り、あるいは巻戻すとき、前記ウェイトバーが所定の高さまで下降した後は、該巻取軸の回転に連動して前記第一の生地の下端縁に支持される前記ウェイトバーの高さを一定に維持しながら、第二の生地を巻戻し、あるいは巻取り可能とするスクリーン高さ維持装置を備え、同スクリーン高さ維持装置は、前記第一の生地の端部にボトムレールを取着し、前記ボトムレールを昇降装置で昇降可能に吊下支持し、前記第一の生地の無端状の下端縁に前記ウェイトバーを支持し、前記昇降装置は、前記第二の生地の巻戻し量、あるいは巻取り量を相殺するように前記ボトムレールを昇降して、前記ウェイトバーの高さを一定に維持するように構成した。
【００１１】
請求項２では、前記第一の生地は、遮光性を備えた生地で構成し、第二の生地は採光可能な生地で構成した。
【００１２】
請求項３では、前記昇降装置は、前記ボトムレールを吊下支持する昇降コードと、前記巻取軸の回転に連動して昇降コードを巻取りあるいは巻戻す巻取りドラムとで構成し、前記昇降コードは、前記第一の生地の巻戻しが終了したとき巻取りドラムからすべて巻戻される状態として、前記第二の生地の巻戻し時には該第二の生地の巻戻し量に対応してボトムレールを引き上げるとともに、第二の生地の巻取り時には該第二の生地の巻取り量に対応してボトムレールを下降可能とし、前記第一の生地の巻取り時には、該第一の生地の巻取り量に対応してボトムレールを引き上げ可能とするとともに、第一の生地の巻戻し時には、該第一の生地の巻戻し量に応じてボトムレールを下降可能とした。
【００１３】
請求項４では、前記支持ブラケットに前記巻取りドラムを回転可能に支持し、前記巻取軸の回転をギヤ機構を介して前記巻取りドラムに伝達した。
請求項５では、前記ウェイトバーは、ケース内にインナーパイプを設け、該ケースの上部に前記インナーパイプの径より幅の狭い開口部を形成し、前記インナーパイプに掛装した第一の生地を前記開口部からケース外に案内した。
【００１４】
【発明の実施の形態】
以下、この発明を具体化したロールブラインドの一実施の形態を図面に従って説明する。
【００１５】
図１〜図３に示すロールブラインドは、取付フレーム１の両端に支持ブラケット２が取着され、その支持ブラケット２間に巻取軸３が回転可能に支持されている。そして、取付フレーム１は取付ブラケット４を介して、窓の上枠等の取付面に固定される。
【００１６】
前記巻取軸３には、スクリーンが巻取り及び巻戻し可能に巻着されている。そのスクリーンは外光を遮光可能としたドレープ生地で構成される第一の生地５と、外光を透過可能としたレース生地で構成される第二の生地６とがジョイントレール７を介して接続されている。
【００１７】
そして、巻取軸３の回転にともなってスクリーンが巻戻されるとき、まず第一の生地５が巻戻され、つづいて第二の生地６が巻戻される。
前記巻取軸３の一側にはプーリー８が設けられ、そのプーリー８にボールチェーンで構成される操作コード９が掛装されている。前記操作コード９は、コネクタ１０で接続されて、無端状に形成され、そのコネクタ１０がプーリーカバー８ａに当接すると、操作コード９の同方向へのそれ以上の操作が阻止されるようになっている。
【００１８】
そして、操作コード９の操作により、巻取軸３がスクリーン巻取り方向あるいはスクリーン巻戻し方向に回転されるようになっている。
前記巻取軸３内には、捩じりコイルスプリングが配設され、その捩じりコイルスプリングは一端が支持ブラケットに固定され、他端が巻取軸に固定されている。そして、巻取軸３がスクリーンの巻戻し方向に回転されたとき蓄勢されて、その蓄勢力によりスクリーン引き上げ操作時の操作コード９の操作力を軽減するようになっている。
【００１９】
前記ジョイントレール７はその一側面が平坦面に形成されるとともに、他側面は前記巻取軸３の外周面と同様な曲面に形成されている。前記巻取軸３は、その外周面の一部が平坦に形成されている。
【００２０】
そして、前記第一及び第二の生地５，６が巻取軸３に巻き取られるとき、図４に示すように、前記ジョイントレール７は巻取軸３の平坦面部分に巻き取られ、巻取軸３とジョイントレール７により断面円形の巻取軸となり、そのジョイントレール７上に第一の生地５が巻き取られる。
【００２１】
前記第一の生地５の下端には、ボトムレール１１が取着され、そのボトムレール１１の両端部には昇降コード１２の一端がそれぞれ接続され、その昇降コード１２の他端部は前記支持ブラケット２に回転可能に支持された巻取りドラム１３に巻着されている。
【００２２】
また、第一の生地５にはウェイトバー１４が掛装されている。前記ウェイトバー１４は円筒状のケース１５の上部に長手方向全長にわたって開口部１５ａが形成されるとともに、そのケース１５内にインナーパイプ１６が配設されている。
【００２３】
また、前記開口部１５ａの幅は前記インナーパイプ１６の径より小さく形成されている。
そして、第一の生地５はケース１５の開口部１５ａからケース１５内に案内され、インナーパイプ１６に掛装されて開口部１５ａからケース１５外に案内される。
【００２４】
従って、第一の生地５，６は、ウェイトバー１４を下限として無端状に吊下支持され、ボトムレール１１は第一及び第二の生地５，６の室外側で昇降コード１２により吊下支持される。
【００２５】
前記巻取りドラム１３は、その中心部に前記支持ブラケット２間に回転可能に支持された六角軸１７が相対回転不能に嵌挿され、その六角軸１７の両端部には従動ギヤ１８が嵌合されている。
【００２６】
前記巻取軸３の両端部には、巻取軸３と一体に回転する駆動ギヤ１９が設けられ、その駆動ギヤ１９と前記従動ギヤ１８との間において、前記支持ブラケット２には両ギヤ１８，１９に噛み合う伝達ギヤ２０が回転可能に支持されている。
【００２７】
従って、巻取軸３が回転されると、伝達ギヤ２０を介して従動ギヤ１８が回転され、従動ギヤ１８の回転に基づいて、六角軸１７が回転されて、前記巻取りドラム１３が回転される。
【００２８】
前記昇降コード１２は、図５に示すように、第一の生地５が巻取軸３からほぼ巻戻され、ボトムレール１１がウェイトバー１４の近傍に位置するとき、巻取りドラム１３からすべて巻戻された状態となり、この状態から巻取りドラム１３がいずれの方向に回転されても、昇降コード１２が巻取りドラム１３に巻き取られるようになっている。
【００２９】
また、巻取軸３が回転されて、第一及び第二の生地５，６が昇降するとき、巻取軸３の回転による第一及び第二の生地５，６の昇降量と、巻取りドラム１３の回転による昇降コード１２の昇降量とがほぼ一致するように、前記各ギヤ１８，１９２０のギヤ比及び巻取りドラム１３の径が設定されている。
【００３０】
次に、上記のように構成されたロールブラインドの動作を説明する。
図４に示すように、第一及び第二の生地５，６を巻取軸３にほぼ巻き取った状態では、ウェイトバー１４及びボトムレール１１は、巻取軸３近傍に位置し、昇降コード１２は巻取りドラム１３にほぼ巻き取られている。
【００３１】
この状態から、操作コード９を操作して、巻取軸３をスクリーン巻戻し方向に回転させると、まず巻取軸３から第一の生地５が巻戻される。このとき、昇降コード１２も巻取りドラム１３から第一の生地５の巻戻し量と同量で巻戻される。
【００３２】
すると、ウェイトバー１４とボトムレール１１は等間隔を維持した状態で下降する。
図５に示すように、第一の生地５がほぼすべて巻戻されて、昇降コード１２がすべて巻戻されると、ウェイトバー１４及びボトムレール１１は下限まで下降された状態となる。この状態では、ウェイトバー１４が窓の下縁まで下降されるように、第一の生地５の高さ及び昇降コード１２の長さが設定されて、窓の全面が遮光状態となる。
【００３３】
この状態から、巻取軸３をスクリーン巻戻し方向にさらに回転させると、巻取軸３から第二の生地６が巻戻されると同時に、昇降コード１２が巻取りドラム１３に巻き取られて、ボトムレール１１が引き上げられる。
【００３４】
この結果、図６に示すように、ウェイトバー１４が窓の下縁に維持された状態で第二の生地６が引き出され、余剰分となった第一の生地５はウェイトバー１４を経て後方へ引き上げられる。
【００３５】
このようにして、第二の生地６を所望高さまで引き出せば、窓の下部を第一の生地５で遮光状態としながら、窓の上部から第二の生地６を介して採光することができる。
【００３６】
また、第二の生地６を所望高さまで引き出した状態から、巻取軸３をスクリーン巻取り方向に回転させると、第二の生地６が巻取軸３に巻き取られると同時に、昇降コード１２が巻取りドラム１３から巻戻される。
【００３７】
すると、ウェイトバー１４が窓の下縁に維持された状態で第二の生地６が巻取軸３に巻き取られ、ボトムレール１１がウェイトバー１４に向かって下降する。
図５に示すように、第二の生地６が巻取軸３にほぼ巻き取られると、昇降コード１２が巻取りドラム１３からすべて巻戻され、この状態から巻取軸３をさらにスクリーン巻取り方向に回転させると、第一の生地５が巻取軸３に巻き取られると同時に、昇降コード１２が巻取りドラム１３に巻き取られる。
【００３８】
すると、ウェイトバー１４とボトムレール１１とが等間隔を維持した状態でともに引き上げられ、図４に示す状態まで引き上げられると、窓はほぼ全開状態となる。
【００３９】
上記のように構成されたロールブラインドでは、次に示す作用効果を得ることができる。
（１）操作コード９の操作により、第一及び第二の生地５，６を巻取軸３に巻き取って、窓の全面から採光する状態と、第一の生地５を引き出して窓の全面を遮光する状態と、第一の生地５に続いて第二の生地６を引き出して、窓の下部を遮光状態に維持しながら、窓の上部から採光する状態とを選択することができる。
（２）第一の生地５で窓の全面を遮光状態とした状態から、第二の生地６を巻取軸から引き出すとき、ウェイトバー１４を同一高さに維持することができる。
（３）第二の生地６の引き出しにともなって窓の高さに対し余剰分となる第一の生地５を、室外側に引き上げることにより、ウェイトバー１４を同一高さに維持することができる。
（４）余剰分となる第一の生地５の室外側への引き上げ操作は、巻取軸３の回転に連動する巻取りドラム１３で昇降コード１２を巻き取ることにより、第二の生地６の引き出し操作と連動して自動的に行うことができる。
（５）ウェイトバー１４は、そのケース１５に設けた開口部１５ａから第一の生地５をケース１５内に案内し、かつその開口部１５ａからケース１５外に案内する構成としたので、ウェイトバー１４で折り返される第一の生地５の間隔を小さくして折り返し部分の美観を向上させることができる。
（６）巻取軸３及びジョイントレール７により、第一の生地５を円形に巻き取ることができるので、第一の生地５にしわを発生させることなく巻き取ることができる。
【００４０】
上記実施の形態は、次に示すように変更することもできる。
・第一及び第二の生地は、ともに遮光性を備えた異なる色彩あるいは柄の生地としてもよい。
・第一及び第二の生地は、ともに採光性を備えた異なる色彩あるいは柄の生地としてもよい。
・巻取軸をモータで回転駆動可能とし、ウェイトバー内にモータで回転駆動可能とした巻取軸を備え、第二の生地が引き出されるとき、余剰分の第一の生地をウェイトバー内の巻取軸で巻き取るようにしてもよい。
・第一及び第二の生地に代えて、一連の同一カーテン生地を巻取軸から巻戻し、あるいは巻取軸に巻き取る構成としてもよい。この場合には、採光性を備えたカーテン生地とすることにより、ウェイトバーから室外側へカーテン生地を引き上げるにつれて、窓の下方部分において、カーテン生地が二重となるので、その部分の遮光性を向上させることができる。
・ウェイトバーは、インナーパイプのみとしてもよい。
【００４１】
【発明の効果】
以上詳述したように、この発明は巻取軸の回転操作に基づいて、ウェイトバーを窓の下縁部に保持しながら、巻取軸から第一の生地に続いて第二の生地を引き出し得るロールブラインドを提供することができる。
【図面の簡単な説明】
【図１】  一実施の形態のロールブラインドを示す正面図である。
【図２】  ロールブラインドを示す断面図である。
【図３】  ロールブラインドを示す平面図である。
【図４】  ロールブラインドの動作を示す断面図である。
【図５】  ロールブラインドの動作を示す断面図である。
【図６】  ロールブラインドの動作を示す断面図である。
【符号の説明】
２            支持ブラケット
３            巻取軸
５            スクリーン（第一の生地）
６            スクリーン（第二の生地）
１１          スクリーン高さ維持装置（ボトムレール）
１２          スクリーン高さ維持装置（昇降コード）
１３          スクリーン高さ維持装置（巻取りドラム）
１４          ウェイトバー
【図１】
0004651245.tif 000002
【図２】
0004651245.tif 000003
【図３】
0004651245.tif 000004
【図４】
0004651245.tif 000005
【図５】
0004651245.tif 000006
【図６】
0004651245.tif 000007